(57)【要約】【課題】基材テープ上に紫外線硬化型粘着剤からなる感圧接着層が印刷により絵模様及び／又は文字及び／又は図形を型取る様に形成した転写式感圧接着テープを備えたことを特徴とする塗膜転写具を提供する。【解決手段】塗膜転写具１は、内部に繰出し部、転写ヘッド９、巻取り部を有しており、前記繰出し部には転写式感圧接着テープが備えられている。前記転写式感圧接着テープは連続的な絵模様及び／又は文字及び／又は図形を形成しており、前記転写式感圧接着テープは基材１１上に紫外線硬化型粘着剤からなる感圧接着層が印刷により形成され、該塗膜転写具により紙面等の被転写体に押圧転写されることにより絵模様及び／又は文字及び／又は図形が形成された感圧接着層が、被転写体に転写されて該被転写体に他の物品の貼り付けや接合をすることができるように構成されている。【選択図】図２
2006335517.tif 000002
【特許請求の範囲】
【請求項１】
離型性を有する基材上に、印刷によって連続的な絵模様及び／又は文字及び／又は図形が形成された紫外線硬化型粘着剤からなる感圧接着層であって、外枠を構成するケース内に繰出し部及び巻取り部と転写ヘッドとを備え、前記感圧接着層を有する転写式感圧接着テープが前記繰出し部から繰出され、前記転写ヘッドを経て前記巻取り部に巻き取られるように構成されていることを特徴とする自動巻取り式の塗膜転写具。
【請求項２】
前記感圧接着層の印刷がシルクスクリーン印刷によってなされたことを特徴とする請求項１の塗膜転写具。
【請求項３】
前記感圧接着層の厚みが１０〜３０μｍであることを特徴とする請求項１もしくは請求項２の塗膜転写具。
【発明の詳細な説明】
【技術分野】
【０００１】
本発明は、転写式感圧接着テープを繰出す繰出し部と、前記テープを被転写体に押圧して押圧転写する転写ヘッドと、転写後の基材テープを巻取る巻取り部を有する自動巻取り式の塗膜転写具であって、前記転写式感圧接着テープは、基材テープ上の感圧接着層が紫外線硬化型粘着剤からなり、かつ印刷によって連続的な絵柄を形成しており、該転写具の転写ヘッドを介して紙面等の被転写体に押圧転写することにより、絵模様及び／又は文字及び／又は図形を形成した感圧接着層を被転写体に転写することができる転写式感圧接着テープを備えた自動巻取り式の塗膜転写具に関する。
【背景技術】
【０００２】
近年、取り扱いの容易さから両面接着テープや転写式感圧接着テープが注目を集めている。この種の転写式感圧接着テープとしては、例えば、特開平０８−０２７４３３号に開示されているように紙や有機高分子フィルムなどの基材の片面に感圧接着層を設けた構造のものが知られている。この転写式感圧接着テープは手持ち型の転写具に収納して使用される。
【０００３】
また、種々の商品等の物品表面に絵柄を付けるために、ベースフィルム上に紫外線硬化型樹脂製のインキで絵柄が印刷され、その上に接着層を有した転写フィルムが特開平１０−１５７３９９号に開示されている。この転写フィルムでは紙面等の被転写面に貼付されて、デザイン的及び／又は視覚的に楽しめるものである。
【０００４】
また、色付粘着剤転写シート又はテープが特開２００１−３１６６４１号に開示されている。しかし、この粘着剤転写シート又はテープはシートもしくはテープ状であるために被転写体に一直線状に貼付する際や、被転写体の長さが長くなればなるほど粘着剤転写シート又はテープを貼付する際にねじれやしわが生じたりして慎重な作業を必要とし、作業者に煩わしさが生じる。
【０００５】
また、転写型粘着シート材に関して、特開平０８−３３３５５６号が開示されている。前記発明によればドット形状を有した転写型粘着シート材においては、粘着剤層の切断には大いに有用ではあるが、被転写体への転写後の粘着剤層のデザイン性という点においてはドット形状ではかなり限られたものになる。また、被転写体の端部にきっちりと粘着剤を転写しなければならない場合、手ぶれ等に注意しながら慎重な作業が必要となってくる。
【特許文献１】特開平０８−０２７４３３号
【特許文献２】特開平１０−１５７３９９号
【特許文献３】特開２００１−３１６６４１号
【特許文献４】特開平０８−３３３５５６号
【発明の開示】
【発明が解決しようとする課題】
【０００６】
前記第１の従来例では、紙等を貼り付ける際に紙面上に転写されるものであって、確実な接着を達成するために転写後の粘着剤は決められたテープ幅に限定されかつ一定幅のライン形状を有しており、転写後の粘着剤によって絵模様及び／又は文字及び／又は図形を型取る様に形成することができず、デザイン的に及び／又は視覚的に楽しめないという問題がある。
【０００７】
また、前記第２の従来例では、ベースフィルム上に紫外線硬化型樹脂製のインキで印刷され、さらにその上に接着層を有しており、紙面等の被転写体に一度貼付すると、デザイン的又は視覚的に楽しめるものではあるが、被転写体に転写後の粘着層に他の紙面等の物品を貼着させるという効果を得ることができないという問題がある。
【０００８】
さらに、前記第３の従来例では粘着剤転写シート又はテープを一直線状等に貼着させる際や長い距離の貼着の際にハンドリング性の悪さや粘着剤転写シート又はテープのねじれが生じるという問題がある。また、しっかりと被転写体に貼着するためには、被転写体に前記粘着剤転写シート又はテープを貼着させた後にさらに手で押圧する作業が必要となる。
【０００９】
さらに、前記第４の従来例ではドット形状を有した感圧接着層が被転写面に転写されるが、転写後の粘着剤が絵模様及び／又は文字及び／又は図形を型取る様に形成されておらず、デザイン的又は視覚的に楽しむことが困難である。
【００１０】
本発明は、上記した問題点に鑑み、紫外線硬化型粘着剤からなる感圧接着層が印刷により絵模様及び／又は文字及び／又は図形を型取る様に形成した転写式感圧接着テープを備えたことを特徴とする自動巻取り式の塗膜転写具を提供するものである。
【課題を解決するための手段】
【００１１】
上記課題を解決するために、本発明の塗膜転写具は、転写式感圧接着テープを繰出す繰出し部と、前記テープを被転写体に押圧して押圧転写する転写ヘッドと、転写後の基材テープを巻取る巻取り部を有する自動巻取り式の塗膜転写具で、前記転写式感圧接着テープは、基材テープ上に感圧接着層が紫外線硬化型粘着剤からなり、かつ印刷によって連続的な絵模様及び／又は文字及び／又は図形が形成されており、該塗膜転写具により紙面等の被転写体に容易にかつ素早く押圧転写することで前記形状を有する感圧接着層が被転写体に押圧転写されて、該被転写体に他の物品を貼り付けることができるように構成されている。
【００１２】
また、本発明の塗膜転写具に搭載されている転写式感圧接着テープは、基材テープ上の感圧接着層が紫外線硬化型粘着剤を用いて連続的な絵模様及び／又は文字及び／又は図形が形成されており、デザイン的又は視覚的に楽しむことができるようシルクスクリーン印刷法によって印刷されている。
【００１３】
また、本発明の塗膜転写具に搭載されている転写式感圧接着テープは、基材テープ上の感圧接着層が紫外線硬化型粘着剤を用いて連続的な絵模様及び／又は文字及び／又は図形が形成されており、かつ被転写物に転写された絵模様及び／又は文字及び／又は図形を形成した感圧接着層が他の物品の貼り付けや接合に必要とされる厚みを有している。
【発明の効果】
【００１４】
本発明によれば、以下のような顕著な効果が達成される。
【００１５】
本発明の塗膜転写具に搭載された転写式感圧接着テープは、印刷によって形成されているため鮮明な絵模様及び／又は文字及び／又は図形が形成されており、かつ繰出し部、転写ヘッド、巻取り部を有した自動巻取り式の塗膜転写具に備えられているため、均一濃度で、さらに容易で手を汚すことなく素早い作業で一直線状に前記感圧接着層を押圧転写することが可能であり、かつ被転写面に転写後の感圧接着層は粘着性を有しているので、従来の転写式感圧接着テープの如く、他の紙面等の物品を前記転写後の感圧接着層に貼着することが可能である。
【００１６】
また、前記転写式感圧接着テープを繰出す繰出し部と、転写ヘッドと、転写後の基材テープを巻取る巻取り部を有する自動巻取り式の塗膜転写具で、前記塗膜転写具に備えられた転写式感圧接着テープは基材上に紫外線硬化型粘着剤を用いて感圧接着層が印刷によって、絵模様及び／又は文字及び／又は図形を形成されており、前記形状を有する感圧接着層を被転写体に転写することによって、視覚的及び／又はデザイン的に楽しむことができる。
【００１７】
また、紫外線硬化型粘着剤は公知の粘着剤を使用する技術とは異なり、常温において極めて短時間で硬化されるので作業効率が高く、さらに温度依存性を示さないため、硬化の際に紫外線硬化剤からなる感圧接着層の接着力や保持力のバラツキが乾燥工程を有する場合に比べて少ないため、細字、細線、写真等の絵模様及び／又は文字及び／又は図形を鮮明に表現でき、かつ前記形状を有する粘着層は他の紙面等の物品を貼着するのに十分な接着性を有している。
【発明を実施するための最良の形態】
【００１８】
以下に、本発明の実施の形態を図面に基づいて説明する。
【００１９】
図１は本発明の塗膜転写具１を示す。前記塗膜転写具１は、ケース本体２と図示していないがカバー１０に分割され、先端側にはケース１内に植設した２個の支軸３、４に基材テープの片面に塗膜を備えた転写式感圧接着テープ５を巻回した繰出しロール６と、使用後の転写テープを回収する巻取りロール７とを連動して回動自在に支持するとともに、先端に押圧転写部８を備えた転写ヘッド９をその押圧転写部７がケース１外に突出するように設け、ケース２はカバー１０で覆われている。繰出しロール６に巻回された転写式感圧接着テープ５は引き出され、転写ヘッド９の押圧転写部８で転写式感圧接着テープ５の塗膜を被転写体に押圧して転写し、転写後の基材テープを巻取りロール７で巻き取るようになっている。
【００２０】
また、図２は本発明の実施の形態に係る前記塗膜転写具に備えられた転写式感圧接着テープの断面構造を示す模式的断面図である。図２に示した転写式感圧接着テープは、初めにロール状に巻かれた帯状の基材１１を準備し、次に、基材１１の上に、紫外線硬化型粘着剤をシルクスクリーン印刷法によりに印刷した後、紫外線照射をおこない粘着剤を硬化させて、複数の絵模様及び／又は文字及び／又は図形等を型取る様に感圧接着層１２を形成させる。なお、硬化工程は、公知の紫外線照射装置を使用して常法に従っておこなえば良く、条件などは特に限定されない。硬化は通常２〜１０秒程度で終了する。上記のように、基材１１にはロール状に巻かれた帯状の材料を用いているので、感圧接着層１２を形成した後、所定の幅、長さに裁断する。
【００２１】
基材１１は、ポリエチレンテレフタレート、ポリプロピレン、ポリカーボネート、ポリスチレン、ポリアミド、ポリアミドイミド、ポリエチレン、ポリ塩化ビニル等の合成樹脂製フィルムや、グラシン紙や、人造樹脂フィルム、洋紙和紙等のフィルム状物、あるいはこれらの複合フィルム状物などで構成されている。なお、前記基材１１の厚みは特に限定されるものではないが、通常１０μｍ〜５０μｍ程度である。また、基材１１の上に必要に応じてグラビア印刷法、ダイ印刷法、リバース印刷法などの方法によりシリコン樹脂やフッ素樹脂などで構成された剥離層を設けてもよい。
【００２２】
なお、基材１１上には紫外線硬化型粘着剤からなる感圧接着層１２が、印刷によって連続的な絵模様及び／又は文字及び／又は図形を形成して設けられているが、前記感圧接着層が連続していても、非連続で絵模様及び／又は文字及び／又は図形等を型取る様に形成されていてもよい。そして、無色で透明或いは半透明であってもよく、または着色されていてもよい。また、感圧接着剤層１２の厚みは、５〜４０μｍ程度で、好ましくは１０〜３０μｍが最適である。
【００２３】
前記感圧接着層１２の厚みが５μｍ未満の場合には、前記自動巻取り式の塗膜転写具によって紙面等の被転写面に転写された絵模様及び／又は文字及び／又は図形等を型取る様に形成された感圧接着層１２は、他の物品を貼着するための接着力が不十分であり、また４０μｍを超える場合には、テープをロール状に加工して長期保存した際に基材１１の背面へのブロッキングの恐れを生じる。さらに感圧接着層１２の厚みが大きければ、その分だけロール状に加工したテープの大きさも大きくなってしまい、繰出し部、転写部、巻取り部を有した塗膜転写具の大きさが大きくなってしまってハンドリング性が悪くなってしまう。
【００２４】
また、基材１１上に紫外線硬化型粘着剤からなる感圧接着層１２は細字、細線、写真等の絵模様及び／又は文字及び／又は図形を鮮明に表現可能であり、感圧接着層１２の厚みのふれが少なく、厚盛り可能なシルクスクリーン印刷法で印刷されることが好ましい。前記紫外線硬化型粘着剤はシルクスクリーン印刷の途中で空気に接触しても粘度が上昇することがなく、スクリーン版上で目詰まり等がなく鮮明に印刷することができる。なお、基材１１上に感圧接着層１２の厚みが最適な範囲に属するようにグラビア印刷、コーターなどによるコーティング等の方法によって印刷可能であれば、これに限定されるものではない。
【実施例１】
【００２５】
図３に示すように、両面離型加工したグラシン紙の片面に帝国インキ製造（株）製紫外線硬化型粘着剤、ＵＶ  ＴＡＣ（登録商標）を着色し、これを用いた粘着剤からなる感圧接着層１２をシルクスクリーン印刷法で連続的な絵模様及び／又は文字及び／又は図形を型取るよう印刷し、メタルハイドライトランプ（１８０ｍＪ／ｃｍ２）により紫外線を照射し、厚みが１５μｍの絵模様及び／又は文字及び／又は網点及び／又は図形を形成した感圧接着層１２を得た。次にこれを１０ｍｍ幅にスリット加工したロールを繰出し部、押圧転写部、巻取り部を備えた自動巻取り式の塗膜転写具に装着して被転写体に転写したところ、一直線状で均一な極めて鮮明な絵模様及び／又は文字及び／又は図形が形成された感圧接着層が得られた。次いで、転写された前記感圧接着層１２の表面に他の紙面等の物品を押圧すると、被転写体に簡単に貼着することができた。さらに、貼着後の被貼着物を粘着層が貼着された被転写体から剥がすと被貼着物の破壊が生じた。
【実施例２】
【００２６】
図３に示すように、両面離型加工したポリエチレンテレフタレートフィルムの片面に帝国インキ製造（株）製紫外線硬化型粘着剤、ＵＶ  ＴＡＣ（登録商標）からなる感圧接着層１２をシルクスクリーン印刷法で絵模様及び／又は文字及び／又は図形を型取るよう印刷し、メタルハイドライトランプ（１００ｍＪ／ｃｍ２）により紫外線を照射し、厚みが２０μｍの絵模様及び／又は文字及び／又は図形を形成した感圧接着層１２を得た。次にこれを１０ｍｍ幅にスリット加工したロールを繰出し部、押圧転写部、巻取り部を備えた自動巻取り式の塗膜転写具に装着して被転写体に転写したところ、一直線状で均一な極めて鮮明な絵模様及び／又は文字及び／又は図形が形成された感圧接着層１２が得られた。次いで、転写された前記感圧接着層１２の表面に他の紙面等の物品を押圧すると、被転写体に簡単に貼着することができた。さらに、貼着後の被貼着物を粘着層が貼着された被転写体から剥がすと被貼着物の破壊が生じた。
【実施例３】
【００２７】
図３に示すように、両面離型加工したグラシン紙の片面に帝国インキ製造（株）製紫外線硬化型粘着剤、ＵＶ  ＴＡＣ（登録商標）を着色し、これを用いた粘着剤からなる感圧接着層１２をシルクスクリーン印刷法で絵模様及び／又は文字及び／又は網点及び／又は図形を型取るよう印刷し、メタルハイドライトランプ（１２５ｍＪ／ｃｍ２）により紫外線を照射し、厚みが３０μｍの絵模様及び／又は文字及び／又は図形を形成した感圧接着層１２を得た。次にこれを１０ｍｍ幅にスリット加工したロールを繰出し部、押圧転写部、巻取り部を備えた自動巻取り式の塗膜転写具に装着して被転写体に転写したところ、一直線状で均一な極めて鮮明な絵模様及び／又は文字及び／又は図形が形成された感圧接着層１２が得られた。次いで、転写された前記感圧接着層１２の表面に他の紙面等の物品を押圧すると、被転写体に簡単に貼着することができた。さらに、貼着後の被貼着物を粘着層が貼着された被転写体から剥がすと被貼着物の破壊が生じた。
【実施例４】
【００２８】
紫外線硬化型粘着剤からなる感圧接着層１２の厚みが４μｍである以外は実施例１と同様にして絵模様及び／又は文字及び／又は図形を形成した感圧接着層１２を得た。次にこれを１０ｍｍ幅にスリット加工したロールを繰出し部、押圧転写部、巻取り部を備えた自動巻取り式の塗膜転写具に装着して被転写体に転写したところ、一直線状で均一な極めて鮮明な絵模様及び／又は文字及び／又は図形が形成された感圧接着層１２が得られた。次いで、転写された前記感圧接着層１２の表面に他の紙面等の物品を押圧すると、被転写体に貼着することができたが、貼着後の被貼着物を粘着層が貼着された被転写体から剥がすと被貼着物の破壊は生じなかった。
【実施例５】
【００２９】
紫外線硬化型粘着剤からなる感圧接着層１２の厚みが４２μｍである以外は実施例３と同様にして絵模様及び／又は文字及び／又は図形を形成した感圧接着層１２を得た。次にこれを１０ｍｍ幅にスリット加工したロールを繰出し部、押圧転写部、巻取り部を備えた自動巻取り式の塗膜転写具に装着して被転写体に転写したところ、一直線状で均一な絵模様及び／又は文字及び／又は図形が形成された感圧接着層１２が得られたが、鮮明な絵模様及び／又は文字及び／又は図形が形成されなかった。また、ロールの巻き芯近くでは前記感圧接着層１２が基材１１の背面に移行するというブロッキング現象を生じていた。
【産業上の利用可能性】
【００３０】
また、図示していないが被転写体に転写された前記転写式感圧接着テープの粘着剤は必ずしも他の紙面等の物品を貼り付けたり接合したりする必要はなく、市販されている種々のラメや金属粉や金属箔や転写箔等を前記粘着剤に貼付させることで、立体的でしかも色鮮やかな絵模様及び／又は文字及び／又は図形が作製され、紙面等の貼り付けや接合だけでなく、装飾としても効果的な使用方法もある。
【図面の簡単な説明】
【００３１】
【図１】本発明の感圧接着層を転写する際に用いられる塗膜転写具の構成を示した図
【図２】本発明の塗膜転写具に備えられている転写式感圧接着テープの断面構造を示す模式的断面図
【図３】本発明の塗膜転写具に備えられている転写式感圧接着テープの外観を示す模式的斜視図
【符号の説明】
【００３２】
１．  塗膜転写具
２．  ケース本体
３、４．  支軸
５．  転写式感圧接着テープ
６．  繰出しロール
７．  巻取りロール
８．  押圧転写部
９．  転写ヘッド
１０．  カバー
１１．  基材
１２．  紫外線硬化型粘着剤よって形成された感圧接着層
【図１】
2006335517.tif 000003
【図２】
2006335517.tif 000004
【図３】
2006335517.tif 000005